(57)【要約】【課題】  背後から見た際においても、体裁が良く、その背後面に多種多様なパネル材の取付けを可能としたキャビネト構造を提供する。【解決手段】  天板６・底板７・左右の側板８，８によって、正面視口字形に構成されたキャビネット枠体２の背後面における開口部を閉塞する裏板３を取付けることによって構成されるキャビネット構造において、前記裏板３を、正面視口字形に組まれた四方枠９と、この四方枠９に縁部が保持されたパネル材１０とによって構成する。【選択図】  図１
2005143600.tif 000002
【特許請求の範囲】
【請求項１】
天板・底板・左右の側板によって、正面視口字形に構成されたキャビネット枠体の背後面における開口部を閉塞する裏板を取付けることによって構成されるキャビネット構造において、
前記裏板を、正面視口字形に組まれた四方枠と、この四方枠に縁部が保持されたパネル材とによって構成したことを特徴とするキャビネット構造。
【請求項２】
前記四方枠を、押出し成形によって形成された枠材を口字形に連結することによって構成したことを特徴とする請求項１に記載のキャビネット構造。
【請求項３】
前記枠材に、パネルの各四方の縁部において、パネル材の前面に位置する前面押え片と、前面押え片の外端部から後方に向かって連設され、パネル材の端面に位置する端面押え片と、端面押え片の後端部から内方に向かって連設され、パネル材の後面に位置する後面押え片によって、内向きコ字状に形成されるパネル材保持部を設けたことを特徴とする請求項１または２に記載のキャビネット構造。
【請求項４】
前記枠材の前面押え片における前面より前方に向かって突出する補強片を、枠材の長手方向に沿って連設したことを特徴とする請求項３に記載のキャビネット構造。
【請求項５】
前記枠材の前面押え片に、枠材の長手方向に沿って中空部を有する補強突部を連設し、ほぼＬ字形の連結部材を、隣合う枠材の各中空部内に挿入した状態で、枠材に挿通させたねじを螺合することによって、隣合う枠材を連結し、四方枠を構成したことを特徴とする請求項３または４に記載のキャビネット構造。
【請求項６】
キャビネットの前面における開口部を閉塞する前板を、正面視口字形に組まれた四方枠と、この四方枠に端部を保持されたパネル材によって構成したことを特徴とする請求項１〜５のいずれかに記載のキャビネット構造。
【請求項７】
前記枠材に、厚み方向に貫設した係合孔を有し、枠材から前方へ向けて突出させて一方の係止片を設けるとともに、前記キャビネット枠体の後端部に、前記係止片を挿嵌する中空部を有し、かつ、該中空部内の側壁面に、前記係止片の係合孔に係合する係止舌片を有する係止片受け部材を設けたことを特徴とする請求項１〜６のいずれかに記載のキャビネット構造。
【請求項８】
前記係止片受け部材を、前記キャビネット枠体の後端面に埋め込んで設置したことを特徴とする請求項１〜７のいずれかに記載のキャビネット構造。
【発明の詳細な説明】
【技術分野】
【０００１】
本発明は、キャビネット構造に関し、詳しくは、天板・底板・左右の側板によって、正面視口字形に構成されたキャビネット枠体の背後面における開口部を閉塞する裏板を取付けることによって構成されるキャビネット構造に関する。
【背景技術】
【０００２】
キャビネットは、コストや造り易さ等を考慮し、天板・底板・左右側板・裏板を一体的に形成している（例えば、特許文献１，特許文献２参照）もの、裏板をキャビネット本体と独立して構成して、キャビネット本体に取付けるもの（例えば、特許文献３，特許文献４参照）がある。
【特許文献１】特開平１１−１７７２４９号公報（図１）
【特許文献２】特開平０７−３１３２６８号公報（図２，図３）
【特許文献３】特開２００２−０３４６６９号公報（図２，図６）
【特許文献４】特開２００２−０４５２５０号公報（図１）
【発明の開示】
【発明が解決しようとする課題】
【０００３】
オフィス等の執務空間に使用されるキャビネットにおいては、連結されたキャビネットをフロアーの中央部に、島状にレイアウトして使用する場合がある。このようにレイアウトされるキャビネットでは、壁面に置かれたキャビネットに較べ、後背面にも意匠性が求められる。
【０００４】
特許文献１および特許文献２に開示されているキャビネットでは、鋼製の板を折り曲げて側板と裏板とを一体に形成しており、後背面には、側板と同じ板金面が見えるので、後背面の意匠はあまり良くない。後背面に意匠性が求められるときは、意匠パネルを後背面の上に添設する形で対応する場合が多いが、意匠的に一体感がないという問題があった。さらには、裏板に傷が付いてしまうと、本体ごと交換せざるを得ないという問題を有している。
【０００５】
また、特許文献３または特許文献４に開示されているキャビネットでは、裏板が本体と別に構成されているので、裏板を使用者の希望に応じて替えることができるが、剛性を出しながら取付け可能な構造にしなければならないので、構造的に使用できる素材に制限があった。
【０００６】
本発明は、従来の技術が有する上記のような問題点に鑑み、背後から見た際においても、体裁が良く、その背後面に多種多様なパネル材の取付けを可能としたキャビネト構造を提供することを目的とする。
【課題を解決するための手段】
【０００７】
本発明によると、上記課題は、次のようにして解決される。
（１）天板・底板・左右の側板によって、正面視口字形に構成されたキャビネット枠体の背後面における開口部を閉塞する裏板を取付けることによって構成されるキャビネット構造において、前記裏板を、正面視口字形に組まれた四方枠と、この四方枠に縁部が保持されたパネル材とによって構成する。
【０００８】
（２）上記(１)項において、前記四方枠を、押出し成形によって形成された枠材を口字形に連結することによって構成する。
【０００９】
（３）上記（１）または（２）項において、前記枠材に、パネルの各四方の縁部において、パネル材の前面に位置する前面押え片と、前面押え片の外端部から後方に向かって連設され、パネル材の端面に位置する端面押え片と、端面押え片の後端部から内方に向かって連設され、パネル材の後面に位置する後面押え片によって、内向きコ字状に形成されるパネル材保持部を設ける。
【００１０】
（４）上記（３）項において、前記枠材の前面押え片における前面より前方に向かって突出する補強片を、枠材の長手方向に沿って連設する。
【００１１】
（５）上記（３）または（４）項において、前記枠材の前面押え片に、枠材の長手方向に沿って中空部を有する補強突部を連設し、ほぼＬ字形の連結部材を、隣合う枠材の各中空部内に挿入した状態で、枠材に挿通させたねじを螺合することによって、隣合う枠材を連結し、四方枠を構成する。
【００１２】
（６）上記（１）〜（５）項のいずれかにおいて、キャビネットの前面における開口部を閉塞する前板を、正面視口字形に組まれた四方枠と、この四方枠に端部を保持されたパネル材によって構成する。
【００１３】
（７）上記（１）〜（６）項のいずれかにおいて、前記枠材に、厚み方向に貫設した係合孔を有し、枠材から前方へ向けて突出させて一方の係止片を設けるとともに、前記キャビネット枠体の後端部に、前記係止片を挿嵌する中空部を有し、かつ、該中空部内の側壁面に、前記係止片の係合孔に係合する係止舌片を有する係止片受け部材を設ける。
【００１４】
（８）上記（１）〜（７）項のいずれかにおいて、前記係止片受け部材を、前記キャビネット枠体の後端面に埋め込んで設置する。
【発明の効果】
【００１５】
本発明によると、次のような効果を奏することができる。
（ａ）請求項１記載の発明によると、裏板が、正面視口字状の枠材と、これに保持されるパネル材とによって構成されており、枠材によって所望とする強度が得られるので、パネル材の選択自由度が増し、多種多様な仕様に対応可能となり、体裁を良くすることができる。また、パネル材が損傷した場合にも、パネル材のみを交換することによって、容易に対応することができる。
【００１６】
（ｂ）請求項２記載の発明によると、裏板の枠材を、押出し成形によって形成するので、任意の長さの枠材が得られ、大きさの異なる多種のパネル材に、安価かつ容易に対応することができる。また、枠材を連結することによって四方枠を構成するので、パネル材の交換等も容易であり、キャビネットを設置する環境に容易に対応させることができる。
【００１７】
（ｃ）請求項３記載の発明によると、枠材の内向きコ字状に形成されたパネル保持部に、パネル材の縁部を挿嵌させるので、パネル材が確実に保持され、しかも四方枠の強度も増し、キャビネットの剛性を高めることができる。さらに、パネル材の縁部がパネル保持部によって隠されるので、端面を仕上げていないパネル材も使用でき、金具等の取り付けが難しい材質のパネルでも取り付けることができる。
【００１８】
（ｄ）請求項４記載の発明によると、枠材に補強片が形成されているので、四方枠の強度がより高くなる。
【００１９】
（ｅ）請求項５記載の発明によると、枠材に閉断面の補強枠が形成され、隣合う枠材の中空部に、ほぼＬ字形の連結部材のそれぞれの端部を挿嵌させ、この連結部材をねじによって枠材に締結するので、隣合う枠材が強固に結合され、四方枠の強度がさらに高くなり、しかも、連結材は、中空部内に隠れるので、外観を損なうこともない。
【００２０】
（ｆ）請求項６記載の発明によると、キャビネットの前面開口を閉塞する、扉等の前板が裏板と同構造なので、キャビネットの前後面における体裁を合わせることが可能となり、また、横並びに配置されるキャビネットをそれぞれ、後向き・前向きのように、別の向きに連結した場合においても、体裁を合わせることができる。
【００２１】
（ｇ）請求項７記載の発明によると、キャビネット枠体に設けた受部材の中空部に、裏板に設けた係止片を挿嵌させるため、裏板をキャビネット枠体に対して、上下方向および左右方向の位置決めが図れ、受け部材の中空部内に係止片を挿嵌させるだけで、受部材の係止舌片に係止片の係合孔を係合させることができ、裏板をキャビネット枠体に取付ける作業が容易になる。
【００２２】
（ｈ）請求項８記載の発明によると、裏板をキャビネット枠体に取付けた状態で、裏板の係止片がキャビネット枠体に埋め込んだ受部材に収容され、係合部が露出しないので、外観が良くなる。
【発明を実施するための最良の形態】
【００２３】
以下、本発明の一実施の形態を、図面に基づいて説明する。
図１は、本発明を実施したキャビネットの分解斜視図、図２は、図１におけるＡ部を拡大して示す部分斜視図、図３は、裏板の係止片とキャビネット枠体の受部材とを示す断面図、図４は、裏板をキャビネット枠体に取付けた状態を示す部分断面図、図５は、図４におけるV-V線断面図、図６は、裏板の係止片をキャビネット枠体の受部材に挿嵌させる状態を示す斜視図である。
【００２４】
キャビネット(１)は、キャビネット枠体(２)と、裏板(３)とによって構成されている。裏板(３)は、この裏板から前方へ突出させて設けた係止片(４)を、キャビネット枠体(２)の後端部に埋め込んだ受部材(５)に係止させることによって、キャビネット枠体(２)に係止されるようになっている。
【００２５】
キャビネット枠体(２)は、天板(６)，底板(７)，左右側板(８)(８)によって、正面視口字形に構成されており、裏板(３)は、正面視口字形に組まれた四方枠(９)と、この四方枠(９)に縁部が保持されたパネル材(10)とによて構成されている。
【００２６】
四方枠(９)は、押出し成形によって製作された枠材(11)を、口字形に連結することによって形成されている。
枠材(11)は、図３に示すように、パネル材(10)の前面に位置する前面押え片(12)と、この前面押え片(12)の外端部から後方に向かって連設され、パネル材(10)の端面に位置する端面押え片(13)と、この端面押え片(13)の後端部から内方に向かって連設され、パネル材(10)の後面に位置する後面押え片(14)とによって構成されるパネル材保持部(15)を有している。
【００２７】
前面押え片(12)の前面には、前面より前方に向かって突出する、補強片(16)と補強突部(17)とが、枠材(11)の長手方向全長にわたってそれぞれ形成されている。補強突部(17)は、その長手方向に対する垂直な断面において、矩形の中空部(18)を有している。
【００２８】
四方枠(９)は、図２に示すように、両端部を内向き４５度に傾斜させて形成した上下左右の枠材(11)を、隣接する枠材(11)(11)の端部を当接させ、正面視Ｌ字形連結部材(19)によって結合して構成されている。すなわち、四方枠(９)は、連結部材(19)のそれぞれの端部を、直角に隣合う枠材(11)の端部の中空部(18)にそれぞれ挿嵌させ、端部を付き合わせた状態で、枠材(11)のねじ挿通孔(21)に挿通させたねじ(22)を連結部材(19)の雌ねじ孔(20)に螺合させることによって組立てられている。パネル材(10)は、その縁部を、四方枠(９)を組立てる際に、枠材(11)のパネル保持部(15)に挿嵌させることによって、四方枠(９)に係合されている。  このようにして、四方枠(９)とパネル材(10)を組付けて構成された裏板(３)の前面周縁に、係止片(４)が前方へ突設されている。
【００２９】
前記係止片(４)は、図３に示すように、前端部が、前端に行くにしたがって厚みが薄くなるテーパ状に形成され、中央部に係合孔(23)を有し、後端部に、ねじ挿通孔(24)を有している。
この係止片(４)は、ねじ挿通孔(24)に挿通させたねじ(25)を枠材(11)の補強片(16)の外側面に螺入することによって枠材(11)に固定されている。
【００３０】
一方、図３〜図６に示すように、キャビネット枠体(２)に設けた受部材(５)は、後端に開口する中空部(26)を有し、受部材(５)の中空部(26)の内部側壁には、側面視コ字状のスリット(27)が形成され、このスリット(27)によって弾性をもった係止舌片(28)が形成されている。この係止舌片(28)の自由端部内面には、係止突起(28a)が形成されている。さらに、受部材(５)の後端には、外方および内方に向けてフランジ(29)(30)がそれぞれ形成されており、前端部には、雌ねじ孔(31)が形成されている。
この受部材(５)は、キャビネット枠体(２)の後端部に形成した凹部(32)に挿嵌させ、フランジ(29)(30)をキャビネット枠体(２)の後端面に当接させた状態で、キャビネット枠体(２)の内方からねじ挿通孔(33)にねじ(34)を挿通させ、ねじ(34)を受部材(５)の雌ねじ孔(31)に螺合させることによって、キャビネット枠体(２)に固定されている。
【００３１】
裏板(３)は、係止片(４)を、キャビネット枠体(２)の受部材(５)の開口から中空部(26)内に挿嵌させることによって、キャビネット枠体(２)の後端面に係止されるようになっている。
係止片(４)が、受部材(５)に係止された状態では、受部材(５)の係止舌片(28)の突起(28a)が係止片(４)の係合孔(23)に入り込み、係止片(４)が受部材(５)から抜け出ることがないようになっている。
【００３２】
上記実施形態では、キャビネット枠体(２)と、裏板(３)とによって、キャビネット(１)を構成しているが、これに加えて、扉等を構成する前面板を設けてもよい。この場合に、前面板も、裏板(３)と同一構造を採用することによって、キャビネット(１)を前面・後背面を互い違いに並べてレイアウトする場合でも、キャビネット間に統一感を出すことができる。
【図面の簡単な説明】
【００３３】
【図１】本発明を実施したキャビネットの分解斜視図である。
【図２】図１におけるＡ部を拡大して示す部分斜視図である。
【図３】裏板の係止片とキャビネット枠体の受部材とを示す断面図である。
【図４】裏板をキャビネット枠体に取付けた状態を示す部分断面図である。
【図５】図４におけるV-V線断面図である。
【図６】裏板の係止片をキャビネット枠体の受部材に挿嵌させる状態を示す斜視図である。
【符号の説明】
【００３４】
(１)キャビネット
(２)キャビネット枠体
(３)裏板
(４)係止片
(５)受部材
(６)天板
(７)底板
(８)側板
(９)四方枠
(10)パネル材
(11)枠材
(12)前面押え片
(13)端面押え片
(14)後面押え片
(15)パネル材保持部
(16)補強片
(17)補強突部
(18)中空部
(19)連結部材
(20)雌ねじ孔
(21)ねじ挿通孔
(22)ねじ
(23)係合孔
(24)ねじ挿通孔
(25)ねじ
(26)中空部
(27)スリット
(28)係止舌片
(28a)係止突起
(29)(30)フランジ
(31)雌ねじ孔
(32)孔または凹部
(33)雌ねじ孔
(34)ねじ
【図１】
2005143600.tif 000003
【図２】
2005143600.tif 000004
【図３】
2005143600.tif 000005
【図４】
2005143600.tif 000006
【図５】
2005143600.tif 000007
【図６】
2005143600.tif 000008